(57)【要約】      （修正有）【課題】塗り絵や絵画やデザイン等を描くために、画板を容易に回転させ描きやすくする。【解決手段】塗り絵や絵画やデザイン等を描くための画板であって、方形の平板２の表側の４辺周縁に枠体３を設け、４隅に相隣る枠体３の上面を斜めにつなぐストッパー４を設けて、紙５を保持するようになし、この方形の平板２の裏側の中心にはこの方形の平板２を回転させるための薄い平板状凸部６を設けることを特徴とするターンテーブル式画板１。【選択図】図１
0003128930.tif 000002
【実用新案登録請求の範囲】
【請求項１】
塗り絵や絵画やデザイン等を描く為の画板であって、方形の平版（２）の表側の４辺周縁には枠体（３）を設け、４隅に相隣る枠体（３）の上面を斜めにつなぐストッパー（４）を設けて、紙（５）を保持するようになし、この方形の平版（２）の裏側の中心にはこの方形の平版（２）を回転させるための薄い平板状凸部（６）を設けることを特徴とするターンテーブル式画板（１）。
【請求項２】
塗り絵や絵画やデザイン等を描く為の画板であって、方形の平版（２）の表側の相対向する２辺には、方形の平版（２）との間に内溝（７）を形成させる切り欠きを有する枠（８）を設けて、紙（５）を保持するようになし、この方形の平版（２）の裏側の中心にはこの方形の平版（２）を回転させるための薄い平版状凸部（６）を設けることを特徴とするターンテーブル式画板（１）。
【考案の詳細な説明】
【技術分野】
【０００１】  本考案は、画板の裏側の中心に平板状凸部を設け、ターンテーブル式にしたものである。
【背景技術】
【０００２】  塗り絵や絵を描く場合、描きにくい角度や向きがあり、描きにくいまま描いたり、首や体をねじって描いたり、紙を動かして描いたりしていた。動かす分のスペースも必要としていた。
【考案の開示】
【考案が解決しようとする課題】
【０００３】  描きにくい角度や向きに直面した場合、体にとって疲れやすい姿勢で描いていたり、紙を動かすのに、スペースを必要としたりする。本考案は、画板を容易に回転させ描き易くするためになされたものである。
【課題を解決するための手段】
【０００４】  請求項１記載のターンテーブル式画板１は、塗り絵や絵画やデザイン等を描くための画板であって、方形の平版２の表側の４辺周縁には枠体３を設け、４隅に相隣る枠体３の上面を斜めにつなぐストッパー４を設けて、紙５を保持するようになし、この方形の平板２の裏側の中心にはこの方形の平版２を回転させるための薄い平版状凸部６を設けることを特徴とする。【０００５】  請求項２記載のターンテーブル式画板１０は、塗り絵や絵画やデザイン等を描くための画板であって、方形の平板２の表側の相対向する２辺には、方形の平板２との間に内溝７を形成させる切り欠きを有する枠体８を設けて、紙５を保持するようになし、この方形の平板２の裏側の中心にはこの方形の平板２を回転させるための薄い平板状凸部６を設けることを特徴とする。【０００６】  本考案で用いる方形の平板２、枠体３、方形の平板２との間に内溝７を形成させる切り欠きを有する枠体８、ストッパー４、平板状凸部６の素材としては、画を描くための強さを持っていれば何でも良い。素材の例としては、プラスチック板、厚紙、金属板などがあげられる。作りやすさの点から方形の平板２、枠体３、枠体８、ストッパー４、平板状凸部６は、同じ材料を用いることが好ましい。【０００７】  本考案の平板状凸部６は画板を回転させるためのものであって、その形状は方形、円形など何れでもよく、その大きさは、大きすぎても小さすぎても回りにくくなるので、凸部６の大きさとしては、方形の場合は短辺の長さが、円形の場合は直径の長さが、方形の平板２の短辺の長さの１割〜５割程度の長さになるのが好ましい。その厚さとしては、厚すぎるとガタガタして画を描きにくくなり、薄すぎるとよく回らないので、厚さは２ｍｍ〜４ｍｍが好ましい。【０００８】  請求項１記載のストッパー４は紙を保持するためのものであって、塗り絵や絵画やデザイン等を描くための妨げにならないように、小さな三角形状とすることが好ましい。【０００９】  請求項１記載の枠体３は塗り絵や絵画やデザイン等を描きにくくならないように、厚さとしては、２ｍｍ程度が好ましい。【００１０】  請求項２記載の方形の平板２との間に内溝７を形成させる切り欠きを有する枠体８は、紙を保持するためのものであって、その内溝７の隙間の間隔は、紙が挿入できるものであれば良い。その隙間の間隔としては、０．５ｍｍ〜２ｍｍが好ましい。
【考案の効果】
【００１１】  本考案のターンテーブル式画板１を使用することにより、その場で回転するので体に無理がかからず、無駄なスペースも必要とせず、容易に作業が出来る。【００１２】  請求項１記載のターンテーブル式画板１を使用することにより、塗り絵や絵画やデザインなどの紙を方形の平板２の表側にあるストッパー４と方形の平板２の間に入れて、４隅共しっかりと入っていることを確認してから作業を始める。回転させたい時には自分の好きな場所まで回転させ止めて作業を始めることができる。【００１３】  請求項２記載のターンテーブル式画板１０を使用することにより、塗り絵や絵画やデザインなどの紙を方形の平板２の表側にある相対向する２辺の方形の平板２との間に内溝７を形成させる切り欠きを有する枠体８と方形の平板２の間に入れて、２辺共しっかりと入っていることを確認してから作業を始める。回転させたい時には自分の好きな場所まで回転させ止めて作業を始めることができる。
【考案を実施するための最良の形態】
【実施例１】
【００１４】  請求項１記載のターンテーブル式画板１を以下、図を用いて説明する。方形の平板２として厚さ２ｍｍの厚紙で縦２９．５ｃｍ、横２８ｃｍ、の大きさのものを用いた。この平板２の表側の４辺周縁にある枠体３として、平板２と同じ厚さの厚紙を巾１ｃｍに細長く切って、４辺周縁に貼り付けた。４隅に相隣る枠体３の上面を斜めにつなぐストッパー４としては、同じ厚さの厚紙で２辺３．５ｃｍの直角二等辺三角形のものを用いた。方形の平板２の裏側の中心にある平板状凸部６も、同じ厚さの厚紙で直径３ｃｍの円形に切って貼り付けた。
【実施例２】
【００１５】  請求項２記載のターンテーブル式画板１０を以下、図を用いて説明する。方形の平板２として厚さ２ｍｍの厚紙で縦２７．７ｃｍ、横２７．７ｃｍの大きさのものを用いた。この平板２の表側の相対向する２辺に設けられた方形の平板２との間に内溝７を形成させる切り欠きを有する枠体８として、平板２と同じ厚さの厚紙を巾１ｃｍに細長く切って相対向する２辺に貼り付け、この貼り付けた２辺の上に同じ厚さの厚紙を巾１．７ｃｍに細長く切って貼り合わせることによって、方形の平板２との間に内溝７を形成させた。方形の平板２の裏側の中心にある平板状凸部６も、同じ厚さの厚紙で直径３ｃｍの円形に切って貼り付けた。【００１６】  上述した実施形態は、本考案の一例を示したものであり、例えばターンテーブル式画板１、１０の全体形状はＡ４、Ｂ４などの任意の形状でもよく、それに応じて枠体３や方形の平板２との間に内溝７を形成させる切り欠きを有する枠体８や、ストッパー４の形状などを任意に変更することができる。
【産業上の利用可能性】
【００１７】  病院や学校の机等の限られたスペースしかなくても、ターンテーブル式画板があれば、その限られたスペースで場所も移動せずに容易に利用できる。塗り絵は、指先や手のひらの感覚を磨き、脳細胞を活性化し、脳の老化防止にも役立つ。病院の患者や老人ホームやガイドヘルパーを要する方などへのリハビリテーションのひとつの手段としてターンテーブル式画板を用いて、楽しみながら容易に塗り絵や絵を描くことができる。
【図面の簡単な説明】
【００１８】
【図１】実施例１を示す説明図。
【図２】図１を裏側から見た説明図。
【図３】図１を側面から見た説明図。
【図４】実施例２を示す説明図。
【図５】図４を裏側から見た説明図。
【図６】図４を側面から見た説明図。
【符号の説明】
【００１９】１、１０  ターンテーブル式画板
２  方形の平版
３  枠体
４  ストッパー
５  紙
６  平板状凸部
７  内溝
８  方形の平板２との間に内溝７を形成させる切り欠きを有する枠体
【図１】
0003128930.tif 000003
【図２】
0003128930.tif 000004
【図３】
0003128930.tif 000005
【図４】
0003128930.tif 000006
【図５】
0003128930.tif 000007
【図６】
0003128930.tif 000008